(57)【特許請求の範囲】
【請求項１】
正方向と、前記正方向とは反対の逆方向とに駆動するモータと、
前記モータの前記正方向への駆動力である正転駆動力と、前記モータの前記逆方向への駆動力である逆転駆動力とによって動作する第一可動体と、
前記逆転駆動力によって動作する第二可動体と、
前記モータと前記第二可動体とを連結し、前記正転駆動力と前記逆転駆動力とのうち、前記逆転駆動力を前記第二可動体に伝達する伝達機構と、
前記第一可動体が第一所定位置にあるのを検出する第一検出手段と、
前記第二可動体が第二所定位置にあるのを検出する第二検出手段と、
前記第一検出手段の検出結果である第一検出結果と、前記第二検出手段の検出結果である第二検出結果とを取得して前記モータを駆動制御する制御手段であって、前記モータを前記正方向に駆動させる間、前記第一検出結果と前記第二検出結果とのうち前記第一検出結果を取得して、前記第一可動体の動作を制御する一方、前記モータを前記逆方向に駆動させる間、前記第一検出結果と前記第二検出結果とのうち、前記第二検出結果を取得して、前記第一可動体と前記第二可動体の各々の動作を制御する制御手段と
を備え、
前記第一可動体が前記第一所定位置に配置されている状態から、前記モータが前記正方向又は前記逆方向に第一駆動量駆動した場合、前記第一可動体は、前記第一所定位置とは異なる位置を経由して、前記第一所定位置に戻ってきており、
前記第二可動体が前記第二所定位置に配置されているときに前記モータが前記逆方向に第二駆動量駆動した場合、前記第二可動体は、前記第二所定位置とは異なる位置を経由して、前記第二所定位置に戻ってきており、
前記第一駆動量と前記第二駆動量は、互いに等しいこと
を特徴とする遊技機。
【請求項２】
前記制御手段は、
前記逆方向に駆動させている前記モータを、前記第二検出結果に基づき、前記第二可動体が特定の位置にあるときに、停止させる逆転停止制御手段と、
前記逆転停止制御手段が停止させた前記モータを前記正方向に駆動させ、前記第一検出結果に基づき、前記第一可動体が特定の位置にあるときに、前記モータを停止させる正転停止制御手段と
を備えたことを特徴とする請求項１に記載の遊技機。
【請求項３】
正面側から視認可能であり、前記第一可動体に連動して動作する第一装飾体と、
正面側から視認可能であり、前記第二可動体に連動して動作する第二装飾体と
を備えたことを特徴とする請求項１または２に記載の遊技機。
【請求項４】
前記第二可動体は、前記逆転駆動力によって往復動作し、動作範囲の一端と他端との間にある第一位置と、前記動作範囲の一端となる位置である第二位置との間を動作する間、前記第二検出手段によって検出されることを特徴とする請求項１から３のいずれかに記載の遊技機。
【請求項５】
前記第一装飾体は、回転可能に設けられ、
前記第一可動体は、前記正転駆動力によって、前記第一装飾体を一方向に回転させ、前記逆転駆動力によって、前記第一装飾体を前記一方向とは反対の他方向に回転させ、
前記伝達機構は、
回転可能に設けられた回転部材と、
前記モータと前記回転部材とを連結し、前記正転駆動力と前記逆転駆動力とのうち、前記逆転駆動力を前記回転部材に伝達する動力伝達部と、
前記回転部材と前記第二可動体とを連結し、前記回転部材の回転力を、前記第二可動体を動作させる力に変換する変換部と
を備えたことを特徴とする請求項３に記載の遊技機。
【請求項６】
前記第二可動体は、第一所定方向に延びる第一軸線を中心に往復揺動可能であり、
前記変換部は、
前記第二可動体に固定され、前記第二可動体と一体的に往復揺動する固定部材と、
前記第一軸線に対して平行に又は交差して延びる第二軸線を中心に回転可能であると共に、前記回転部材に連結する部材であって、前記第二軸線を中心とした回転方向に延び、且つ前記固定部材に対して摺動可能なカム面を有するカム部材と
を備え、
前記カム面は、
前記第二軸線を中心とした前記回転方向に沿って、前記固定部材の揺動方向の一方側に延びる第一所定カム面と、
前記回転方向における前記第一所定カム面の一端に接続し、前記回転方向と平行に延びる第二所定カム面と
を含むことを特徴とする請求項５に記載の遊技機。
【発明の詳細な説明】
【技術分野】
【０００１】
本発明は、遊技機に関する。
【背景技術】
【０００２】
従来、複数のセンサの検知結果に基づいて、複数の可動体の動作を制御する遊技機が知られている。例えば、特許文献１に開示の遊技機は、可動式演出装置を備える。可動式演出装置は、駆動力発生手段、回動部材、複数の可動扉、複数の被検知部、及び複数の検知手段を備える。駆動力発生手段は、ステッピングモータである。回動部材は、駆動力発生手段が発生させた駆動力によって回動する部材であり、複数の可動扉に連結する。複数の可動扉は、いずれも、可動体の一例である。複数の被検知部は、回動部材に設けられる。複数の検知手段は、夫々、複数の被検知部の何れかを検知可能である。
【０００３】
複数の可動扉は、回動部材の回動に伴って動作する。遊技機は、回動中の回動部材を、複数の検知手段の検知結果に応じた回動位置にて、停止させる。これにより、可動扉群は停止する。
【先行技術文献】
【特許文献】
【０００４】
【特許文献１】特開２０１５−２０８５８０号公報
【発明の概要】
【発明が解決しようとする課題】
【０００５】
しかしながら、上記遊技機では、複数の可動扉の動作中に、複数の検知手段の夫々の検知結果を取得する必要がある。従って、複数の可動扉を動作させる制御が複雑化する虞がある。
【０００６】
本発明の目的は、複数の可動体を動作させる制御を簡易化させた遊技機を提供することである。
【課題を解決するための手段】
【０００７】
本発明の第一態様に係る遊技機は、正方向と、前記正方向とは反対の逆方向とに駆動するモータと、前記モータの前記正方向への駆動力である正転駆動力と、前記モータの前記逆方向への駆動力である逆転駆動力とによって動作する第一可動体と、前記逆転駆動力によって動作する第二可動体と、前記モータと前記第二可動体とを連結し、前記正転駆動力と前記逆転駆動力とのうち、前記逆転駆動力を前記第二可動体に伝達する伝達機構と、前記第一可動体が第一所定位置にあるのを検出する第一検出手段と、前記第二可動体が第二所定位置にあるのを検出する第二検出手段と、前記第一検出手段の検出結果である第一検出結果と、前記第二検出手段の検出結果である第二検出結果とを取得して前記モータを駆動制御する制御手段であって、前記モータを前記正方向に駆動させる間、前記第一検出結果と前記第二検出結果とのうち前記第一検出結果を取得して、前記第一可動体の動作を制御する一方、前記モータを前記逆方向に駆動させる間、前記第一検出結果と前記第二検出結果とのうち、前記第二検出結果を取得して、前記第一可動体と前記第二可動体の夫々の動作を制御する制御手段とを備え、前記第一可動体が前記第一所定位置に配置されている状態から、前記モータが前記正方向又は前記逆方向に第一駆動量駆動した場合、前記第一可動体は、前記第一所定位置とは異なる位置を経由して、前記第一所定位置に戻ってきており、前記第二可動体が前記第二所定位置に配置されているときに前記モータが前記逆方向に第二駆動量駆動した場合、前記第二可動体は、前記第二所定位置とは異なる位置を経由して、前記第二所定位置に戻ってきており、前記第一駆動量と前記第二駆動量は、互いに等しいことを特徴とする。
【０００８】
上記構成によれば、モータが正方向に駆動すると、第一可動体が動作し、モータが逆方向に駆動すると、第一可動体と第二可動体が夫々動作する。遊技機は、モータの駆動方向に応じて、第一検出結果と第二検出結果とのうち何れか一方を取得する。従って、遊技機は、複数の可動体を動作させる制御を簡易化できる。
【０００９】
前記遊技機において、前記制御手段は、前記逆方向に駆動させている前記モータを、前記第二検出結果に基づき、前記第二可動体が特定の位置にあるときに、停止させる逆転停止制御手段と、前記逆転停止制御手段が停止させた前記モータを前記正方向に駆動させ、前記第一検出結果に基づき、前記第一可動体が特定の位置にあるときに、前記モータを停止させる正転停止制御手段とを備えてもよい。この場合、第一可動体と第二可動体との互いの位置関係が、モータの逆方向への駆動に伴ってずれた場合であっても、遊技機は、位置関係のずれを解消できる。
【００１０】
【００１１】
前記遊技機において、正面側から視認可能であり、前記第一可動体に連動して動作する第一装飾体と、正面側から視認可能であり、前記第二可動体に連動して動作する第二装飾体とを備えてもよい。この場合、遊技機は、複数の装飾体を動作させることができるので、装飾体を動作させる演出効果を向上できる。
【００１２】
前記遊技機において、前記第二可動体は、前記逆転駆動力によって往復動作し、動作範囲の一端と他端との間にある第一位置と、前記動作範囲の一端となる位置である第二位置との間を動作する間、前記第二検出手段によって検出されてもよい。この場合、第二可動体の往復揺動に伴う、第二検出結果の切り替わり回数は、低減する。よって、遊技機は第二可動役物の配置位置の誤検出を抑制できる。
【００１３】
前記遊技機において、前記第一装飾体は、回転可能に設けられ、前記第一可動体は、前記正転駆動力によって、前記第一装飾体を一方向に回転させ、前記逆転駆動力によって、前記第一装飾体を前記一方向とは反対の他方向に回転させ、前記伝達機構は、回転可能に設けられた回転部材と、前記モータと前記回転部材とを連結し、前記正転駆動力と前記逆転駆動力とのうち、前記逆転駆動力を前記回転部材に伝達する動力伝達部と、前記回転部材と前記第二可動体とを連結し、前記回転部材の回転力を、前記第二可動体を動作させる力に変換する変換部とを備えてもよい。この場合、遊技機は、第一装飾体と第二装飾体を動作させる構成を、簡易化できる。
【００１４】
前記第二可動体は、第一所定方向に延びる第一軸線を中心に往復揺動可能であり、前記変換部は、前記第二可動体に固定される固定部材と、前記第一軸線に対して平行に又は交差して延びる第二軸線を中心に回転可能であると共に、前記回転部材に連結する部材であって、前記第二軸線を中心とした回転方向に延び、且つ前記固定部材に対して摺動可能なカム面を有するカム部材とを備え、前記カム面は、前記第二軸線を中心とした前記回転方向に沿って、前記固定部材の揺動方向の一方側に延びる第一カム面と、前記回転方向における前記第一所定カム面の一端に接続し、前記回転方向と平行に延びる第二カム面とを含んでもよい。この場合、固定部材が第一所定カム面と第二所定カム面とに順に摺動することで、第二可動体が揺動し、第二装飾体は動作する。よって、遊技機は、第二装飾体の動作を滑らかにできる。
【図面の簡単な説明】
【００１５】
【図１】パチンコ機１の正面図である。
【図２】演出装置３０の斜視図である。
【図３】装飾体５５の斜視図である。
【図４】装飾体支持機構２００の斜視図である。
【図５】駆動ギヤ２７５及び小ギヤ２７７の背面図である。
【図６】カム部材２８０の斜視図である。
【図７】摺動部２５０がカム面２８５に対して摺動する流れを示す説明図である。
【図８】制御部２０の電気ブロック図である。
【図９】演出処理のフローチャートである。
【図１０】正転駆動力によって動作する装飾体５５の流れを示す説明図である。
【図１１】装飾体モータ２０２に入力されるパルス信号に応じた装飾体５５の状態を示す説明図である。
【図１２】逆転駆動力によって動作する装飾体５５の流れを示す説明図である。
【図１３】逆転駆動力によって動作する第二可動体２４６の流れを示す説明図である。
【発明を実施するための形態】
【００１６】
＜１．パチンコ機１の構成＞
本発明の一実施形態であるパチンコ機１について、図面を参照して説明する。以下の説明では、図１の手前側、奥側、上側、下側、左側、および右側を、それぞれ、パチンコ機１の前側（正面側）、後側（背面側）、上側、下側、左側、および右側とする。
【００１７】
図１を参照し、パチンコ機１の概略構成を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、遊技球発射装置３７（図８参照）に遊技球（図示外）を供給し、且つ賞球を受ける。上皿５の上部中央には、遊技者によって操作される操作ボタン９が設けられている。上皿５の直下には、賞球を受ける下皿６が設けられている。下皿６の右横には、遊技球の発射を調整する発射ハンドル７が設けられている。前面枠１３の上部の左右の角には、スピーカ４８がそれぞれ設けられている。
【００１８】
遊技盤２の前面には、ガイドレール３で囲まれた略円形の遊技領域４が形成されている。発射機によって発射された遊技球は、遊技領域４内を流下する。遊技領域４の略中央に、枠状の装飾枠１１が配設されている。装飾枠１１の中央下側に、第一始動口１５が設けられている。第一始動口１５の直下に、第二始動口１６が設けられている。第二始動口１６は、普通電動役物開閉ソレノイド６９（図８参照）によって動作する開閉部材を備える。第二始動口１６は、開閉部材が開放された場合にのみ遊技球が入賞可能である。第二始動口１６の下側に、遊技領域４の中央下端部まで流下した遊技球を回収するアウト口（図示略）が設けられる。装飾枠１１の左側に、大入賞口１７が配設されている。大入賞口１７は、大入賞口ソレノイド７１（図８参照）によって動作する開閉部材（図示略）を備える。大入賞口１７は、開閉部材が開放された場合にのみ遊技球が入賞可能である。
【００１９】
遊技盤２の後面側には、ＬＣＤ（液晶ディスプレイ）等の表示面２７を有する画像表示装置２８が設けられている。表示面２７は、正面視で装飾枠１１の内側に設けられ、前方に向けて画像を表示可能である。表示面２７には動画、メッセージ等の様々な映像が表示される他、大当り判定の結果を報知するためのデモ図柄が表示される。遊技領域４の右斜め下部には図柄表示部２４が設けられている。図柄表示部２４は、特別図柄表示部、普通図柄表示部、特別図柄記憶数表示ＬＥＤ、および普通図柄記憶数表示ＬＥＤを備える。
【００２０】
装飾枠１１の後方には、装飾体５５が設けられている。装飾体５５は、遊技盤２の後側に取り付けられる演出装置３０（図３参照）によって、動作可能に支持される。演出装置３０は、パチンコ機１が実行するリーチ演出等の種々の演出に応じて、装飾体５５を動作させる。演出装置３０の構成の詳細については、後述する。
【００２１】
本実施形態では、第一始動口１５へ遊技球が入賞すると、大当り判定が行われ、大当たりであると判定されると、大入賞口１７の開閉部材が開放される大当たり遊技が実行される。大入賞口１７に入賞した遊技球の流路には、特定領域と非特定領域とが形成されている。パチンコ機１では、大当たり遊技中に遊技球が大入賞口１７内の特定領域を通過することが、大当たり遊技終了後に確率変動状態を生起する条件となっている。
なお、
【００２２】
＜２．演出装置３０の構成＞
演出装置３０の構成の詳細に先立って、図２を参照し、演出装置３０の構成の概要を説明する。演出装置３０は、上下動モータ６２、装飾体モータ２０２（図３参照）、及び装飾体５５を含む。装飾体５５は、一例として、所謂「１８禁」をかたどる。装飾体５５は、回転装飾体５１、揺動装飾体５２、及び支持体５９を含む。支持体５９は、回転装飾体５１と揺動装飾体５２を含む。
【００２３】
上下動モータ６２が駆動すると、装飾体５５は上下動する。装飾体モータ２０２が正方向に駆動すると、回転装飾体５１は正面視で時計回りに回転し、揺動装飾体５２は静止した状態を維持する（図１０参照）。装飾体モータ２０２が正方向とは反対の逆方向に駆動すると、回転装飾体５１は正面視で反時計回りに回転し、且つ揺動装飾体５２は上下方向に往復揺動する（図１２参照）。
【００２４】
本実施形態では、揺動装飾体５２は、回転装飾体５１の前方に配置される。以下、揺動装飾体５２の揺動範囲の上端を「上揺動位置」（図１２（ｂ）参照）といい、揺動範囲の下端を「下揺動位置」（図１２（ｃ）参照）という。さらに、上揺動位置と下揺動位置との中間となる揺動位置を「中間揺動位置」（図２、図４、図１２（ａ）等参照）という。揺動装飾体５２は、中間揺動位置、上揺動位置、中間揺動位置、下揺動位置、及び中間揺動位置を順に通過することによって、一往復揺動する（図１２（ａ）〜（ｃ）参照）。
【００２５】
回転装飾体５１の正面形状は、回転中心を基準に点対称となる形状である。つまり、回転装飾体５１の正面形状は、１８０°回転する前後において同じである。回転装飾体５１の前面には、矩形凹部５１Ａが形成される。以下、矩形凹部５１Ａが左上方から右下方に直線状に延びるときの、回転装飾体５１の回転位置を初期回転位置（図２参照）という。
【００２６】
本例の演出装置３０は、上下駆動機構４０（図２参照）と、装飾体支持機構２００（図３参照）とを備える。上下駆動機構４０は、装飾体５５を上下動させる機構である。装飾体支持機構２００は、回転装飾体５１を回転可能に支持し、且つ揺動装飾体５２を揺動可能に支持する機構である。
【００２７】
＜２−１．上下駆動機構４０＞
図２に示すように、上下駆動機構４０は、支持部材６０、アーム部材７０、上下動モータ６２、ピニオン８１、および移動部材１１０を備える。支持部材６０は、左右方向に長い正面視で略矩形状の板状部材であり、装飾枠１１（図１参照）の下部の後側で固定されている。アーム部材７０は、支持部材６０の左端部から前方へ突出する軸部７２によって、回転可能に支持される。上下動モータ６２は、ギヤ（図示略）等を介してアーム部材７０に連結する。上下動モータ６２は、軸部７２を中心にアーム部材７０を回転可能である。
【００２８】
ピニオン８１は、軸部７２から離隔した位置でアーム部材７０に回転可能に設けられる。ピニオン８１は、前後方向に延びる軸線を中心に回転可能である。ピニオン８１の周面に設けられた歯部８１Ａは、支持部材６０に固定される歯部９２に噛み合う。歯部９２は上下方向に延びる。移動部材１１０は、アーム部材７０よりも右方で、支持部材６０によって上下動可能に支持される。移動部材１１０は、正面視で略矩形状の板状である。移動部材１１０の左面には、上下方向に延びる歯部１１２が形成される。歯部１１２は、歯部９２とは反対側から、ピニオン８１の歯部８１Ａに噛み合う。
【００２９】
また、移動部材１１０の上端部には、支持壁部１２２（図３参照）が固定される。支持壁部１２２には、装飾体５５の支持体５９（図３参照）の後面下部が固定される。これにより、装飾体５５は、移動部材１１０と共に上下動可能である。
【００３０】
図２で示される上下動モータ６２が、アーム部材７０を正面視で反時計回り（矢印Ｐ方向）に回転させると、ピニオン８１は、正面視で反時計回り（矢印Ｑ方向）に回転しながら、歯部９２を伝って上昇する。これにより、歯部１１２が押し上げられるので、移動部材１１０は、装飾体５５と共に上昇する。一方、上下動モータ６２が、アーム部材７０を正面視で時計回りに回転させると、ピニオン８１は、正面視で時計回りに回転しながら、歯部９２を伝って下降する。これにより、歯部１１２が押し下げられるので、移動部材１１０は装飾体５５と共に下降する。
【００３１】
以下、装飾体５５の移動範囲の上端を「上端位置」といい、移動範囲の下端を「下端位置」という。図１では、下端位置にある装飾体５５を実線によって図示し、上端位置にある装飾体５５を二点鎖線によって図示する。下端位置にある装飾体５５の下部は、装飾枠１１の下部によって視認不能となる。一方、上端位置にある装飾体５５は、上下方向に亘って、表示面２７の前方に配置されて視認可能となる。
【００３２】
＜２−２．装飾体支持機構２００＞
図３に示すように、装飾体支持機構２００は、支持壁部１２２の上方で支持体５９の後面に設けられる。装飾体支持機構２００は、装飾体モータ２０２、第一可動体２７３、動力伝達部２７０、及び第二可動体２４６を備える。装飾体モータ２０２は、支持体５９の後面の左上部に設けられる。装飾体モータ２０２は、正方向と逆方向とに駆動するモータである。装飾体モータ２０２は、一例としてパルスモータである。
【００３３】
図３、図４に示すように、第一可動体２７３は、装飾体モータ２０２の右下側で、支持体５９の後面に設けられる。第一可動体２７３は、一例として、背面視で時計回りと反時計回りのいずれの方向へも回転可能なギヤである。第一可動体２７３の中央部には、中央孔２７３Ａ（図４参照）が設けられる。第一可動体２７３の中央部には、一対の係合部２７３Ｂ（図４参照）が設けられる。図４では、一対の係合部２７３Ｂの一方を図示する。一対の係合部２７３Ｂは、夫々、第一可動体２７３から後方に延びる。一対の係合部２７３Ｂは、第一可動体２７３の回転軸線（図示略）を基準に対称となる位置に配置される。一対の係合部２７３Ｂは、回転装飾体５１の中央部に設けられた係合孔（図示外）に係合する。従って、装飾体モータ２０２の駆動力が第一可動体２７３に伝達されることにより、回転装飾体５１は、第一可動体２７３と一体的に回転可能である。
【００３４】
第一可動体２７３の後面には、一対の被検出板２７３Ｃが設けられる。被検出板２７３Ｃは、一例として、第一可動体２７３と一体的に形成される。被検出板２７３Ｃは、第一可動体２７３の回転方向に沿って延びる略扇状である。一対の被検出板２７３Ｃは、第一可動体２７３の回転軸線を基準に対称となる位置に配置される。
【００３５】
第一検出手段３１５は、第一可動体２７３に対して左下方となる位置で、支持体５９（図３参照）の後面に設けられる。第一検出手段３１５は、一例として、隙間を挟んで左右方向に対向する発光体と受光体とを備えた透過型センサである。第一検出手段３１５の発光体と受光体の隙間のうち、発光体が受光体に向けて照射した光が通過する領域が、第一検出手段３１５の検出領域である。
【００３６】
一対の被検出板２７３Ｃは、第一検出手段３１５の検出領域を、第一可動体２７３の回転に伴って交互に通過可能である。一対の被検出板２７３Ｃが、いずれも第一検出手段３１５の検出領域から退出しており、発光体から照射される光を受光体が受光した場合、第一検出手段３１５は、ＯＮ信号を出力する。一方、一対の被検出板２７３Ｃの何れかが、第一検出手段３１５の検出領域に進入して、第一検出手段３１５の発光体が照射した光を遮断した場合、第一検出手段３１５は、ＯＦＦ信号を出力する。
【００３７】
以下、一対の被検出板２７３Ｃの何れかが、第一検出手段３１５の検出領域に進入するときの、第一可動体２７３の回転位置を「検出回転位置」という。第一検出手段３１５は、検出回転位置にある第一可動体２７３を検出可能である。一対の被検出板２７３Ｃは、それぞれ、第一可動体２７３の回転方向に延びる略扇状であるので、検出回転位置は、連続して複数存在する。複数ある検出回転位置のうちで、第一可動体２７３の回転方向における被検出板２７３Ｃの中心部が、第一検出手段３１５の検出領域に進入するときの、第一可動体２７３の回転位置を「特定回転位置」（図３参照）という。本実施形態では、特定回転位置は、一対の被検出板２７３Ｃのそれぞれに対応して、二つ存在する。第一可動体２７３が特定回転位置にあるとき、回転装飾体５１は、初期回転位置（図２参照）にある。
【００３８】
図３、図５、及び図６を参照し、動力伝達部２７０の構成を説明する。尚、図３において、二点鎖線Ｗ２内では、二点鎖線Ｗ１内にある後述のカム部材２８０を、後述の支軸５９Ａから分解して拡大した図を図示する。動力伝達部２７０は、第一可動体２７３と、後述の第二可動体２４６とを連結する機構である。動力伝達部２７０は、装飾体モータ２０２の正方向への駆動力である正転駆動力が、第二可動体２４６に伝達するを規制する一方、装飾体モータ２０２の逆方向への駆動力である逆転駆動力を第二可動体２４６に伝達させる。動力伝達部２７０は、駆動ギヤ２７５及びカム部材２８０を含む。
【００３９】
駆動ギヤ２７５は、支軸５９Ａによって回転可能に支持されている。支軸５９Ａは、第一可動体２７３よりも左斜め上方で支持体５９から後方に突出する。支軸５９Ａの軸線Ｋは、略前後方向に延びる。駆動ギヤ２７５は、複数のギヤを介して、第一可動体２７３と噛み合う。駆動ギヤ２７５は、第一可動体２７３に連動して回転する。以下、支軸５９Ａを中心とした背面視で反時計回り方向を「第一方向」（図５の矢印Ａ１）といい、第一方向とは反対方向を「第二方向」（図５の矢印Ａ２）という。
【００４０】
駆動ギヤ２７５は、前壁部２７５Ａ、第一延設部２７５Ｂ、第二延設部２７５Ｃ、突出部２７５Ｄを含む。前壁部２７５Ａは、駆動ギヤ２７５の前端部を形成する円板状である。前壁部２７５Ａは、支軸５９Ａが挿通される挿通孔（図示外）を有する。第一延設部２７５Ｂと第二延設部２７５Ｃは、夫々、前壁部２７５Ａの周端近傍から後方に突出する。第一延設部２７５Ｂと第二延設部２７５Ｃは、支軸５９Ａを中心とした周方向に隙間を空けて対向する。本実施形態では、第二延設部２７５Ｃは、第一延設部２７５Ｂに対して第二方向から対向する。突出部２７５Ｄは、第二延設部２７５Ｃから第一延設部２７５Ｂに向けて突出する。本実施形態では、第一延設部２７５Ｂ、第二延設部２７５Ｃ、及び突出部２７５Ｄを一組として、二組設けられる。
【００４１】
第一延設部２７５Ｂと第二延設部２７５Ｃとの間には、小ギヤ２７７が配置される。小ギヤ２７７は、駆動ギヤ２７５の前壁部２７５Ａに載置される。小ギヤ２７７に形成された歯部は、突出部２７５Ｄに係合可能である。
【００４２】
カム部材２８０は、支軸５９Ａが挿通された略円筒状である。カム部材２８０は、第一延設部２７５Ｂ及び第二延設部２７５Ｃよりも支軸５９Ａに近い位置に配置される。カム部材２８０は、支軸５９Ａを中心に回転可能である。カム部材２８０の前部の外周面には、歯部２８１が形成される。歯部２８１は、二つの小ギヤ２７７の歯部の夫々と噛み合う。
【００４３】
図６に示すように、カム部材２８０の後端面には、二つのカム面２８５が形成されている。二つのカム面２８５は、軸線Ｋを中心とした周方向に延びる。一方のカム面２８５の一端は、他方のカム面２８５の他端と接続しており、二つのカム面２８５は、円環状をなす。
【００４４】
各カム面２８５は、第一カム面２８５Ａ、第二カム面２８５Ｂ、第三カム面２８５Ｃ、第四カム面２８５Ｄ、および第五カム面２８５Ｅを含む。第一カム面２８５Ａは、軸線Ｋを中心とした周方向と平行に延びる。第二カム面２８５Ｂは、第一カム面２８５Ａの第二方向の端から、第二方向に沿って後側へ延びる。第三カム面２８５Ｃは、第二カム面２８５Ｂの第二方向の端から、第二方向に沿って前側へ延びる。第四カム面２８５Ｄは、第三カム面２８５Ｃの第二方向の端から、第二方向に沿って延びる。第四カム面２８５Ｄは、第一カム面２８５Ａよりも前側に配置されている。第五カム面２８５Ｅは、第四カム面２８５Ｄの第二方向の端から、第二方向に沿って後側へ延びる。第五カム面２８５Ｅの第二方向の端は、もう一方のカム面２８５が含む第一カム面２８５Ａの、第一方向の端と接続する。
【００４５】
図４に示すように、第二可動体２４６は、第一可動体２７３の左右両側で支持体５９に設けられた一対の支持壁部２４２によって、支持される。第二可動体２４６は、第一可動体２７３の後方で、左右方向に延びる。第二可動体２４６は、左右方向に延びる軸線Ｙを中心に、正面視で上下方向に往復揺動可能である。
【００４６】
第二可動体２４６は、略前後方向に延びる連結部２４８に連結される。連結部２４８は、第一可動体２７３の中央孔２７３Ａと、回転装飾体５１の上述した係合孔（図示外）とに挿通されており、揺動装飾体５２の後面に連結する。従って、第二可動体２４６は、揺動装飾体５２と一体的に往復揺動する。
【００４７】
第二可動体２４６には、上側へ延びる延設部２４９が設けられる。延設部２４９の上端部には、右方へ突出する摺動部２５０が固定される。摺動部２５０は第二可動体２４６と一体的に揺動可能である。摺動部２５０は、カム部材２８０のカム面２８５（図３参照）の後方に位置する。揺動装飾体５２の自重により、第二可動体２４６が軸線Ｙを中心として右側面視で反時計回りに付勢されることで、摺動部２５０はカム面２８５に押圧される。従って、摺動部２５０が、回転するカム面２８５に対して摺動することで、第二可動体２４６は上下方向に往復揺動する。
【００４８】
第二可動体２４６の右下部には、下側へ突出する被検出板２５１（図１３参照）が設けられる。被検出板２５１は、第二可動体２４６が揺動する方向に長さを有する板状であり、第二可動体２４６と一体的に揺動可能である。
【００４９】
以下、第二可動体２４６の揺動範囲の上端を、「一端揺動位置」（図１３（ｂ）参照）といい、揺動範囲の下端を「他端揺動位置」（図１３（ｃ）参照）という。第二可動体２４６が一端揺動位置にある場合、揺動装飾体５２は上揺動位置（図１２（ｂ）参照）にある。第二可動体２４６が他端揺動位置にある場合、揺動装飾体５２は下揺動位置（図１２（ｃ）参照）にある。また、摺動部２５０が第一カム面２８５Ａに対して摺動するときの、第二可動体２４６の揺動位置を、「特定揺動位置」（図３、図１３（ａ）参照）という。第二可動体２４６が特定揺動位置にある場合、揺動装飾体５２は中間揺動位置にある。
【００５０】
第二可動体２４６の右下方で支持体５９の後面には、第二検出手段２５３が設けられる。第二検出手段２５３は、一例として、隙間を挟んで左右方向に対向する発光体と受光体とを備えた透過型センサである。第二検出手段２５３の発光体と受光体の隙間のうち、発光体が受光体に向けて照射した光が通過する領域が、第二検出手段２５３の検出領域である。
【００５１】
揺動する被検出板２５１は、第二検出手段２５３の検出領域を通過可能である。被検出板２５１が、第二検出手段２５３の検出領域から退出すると、発光体から照射される光を受光体が受光する。この場合、第二検出手段２５３はＯＦＦ信号を出力する。一方、第二検出手段２５３の検出領域に進入した被検出板２５１は、発光体が照射した光を遮断する。この場合、第二検出手段２５３はＯＮ信号を出力する。
【００５２】
本実施形態では、第二可動体２４６が、特定揺動位置と一端揺動位置との間を揺動する間、被検出板２５１が第二検出手段２５３の検出領域から退出し（図１３（ａ）、（ｂ）参照）、第二検出手段２５３はＯＮ信号を出力する。一方、第二可動体２４６が、特定揺動位置よりも他端揺動位置側を揺動する間、被検出板２５１は、第二検出手段２５３の検出領域に進入し（図１３（ｃ）参照）、第二検出手段２５３はＯＦＦ信号を出力する。
【００５３】
以下、被検出板２５１が、第二検出手段２５３の検出領域に進入するときの、第二可動体２４６の揺動位置を「検出揺動位置」という。被検出板２５１が、第二可動体２４６の揺動方向に長さを有するので、検出揺動位置は連続して複数存在する。上述した他端揺動は、検出揺動位置に含まれる。
【００５４】
図３、図５、図７、図１２、及び図１３を参照し、第二可動体２４６と揺動装飾体５２の動作概要を説明する。尚、図７は、カム面２８５を、カム部材２８０（図３参照）の回転方向に沿って展開した概念図を図示する。図７の左側、右側、上側、及び下側は、それぞれ、パチンコ機１の第一方向側、第二方向側、後側、及び前側に対応する。図７（ａ）と図１３（ａ）は互いに対応し、図７（ｂ）と図１３（ｂ）は互いに対応し、図７（ｃ）と図１３（ｃ）は互いに対応する。また、図１３では、装飾体モータ２０２の図示を省略している。
【００５５】
図３に示すように、装飾体モータ２０２の正転駆動力が駆動ギヤ２７５に伝達する場合、駆動ギヤ２７５は、第二方向（図５の矢印Ａ２）に回転する。この場合、二つの第一延設部２７５Ｂが夫々小ギヤ２７７に接触し、突出部２７５Ｄは小ギヤ２７７から離隔する。小ギヤ２７７は、カム部材２８０の歯部２８１に対して転動しながら、駆動ギヤ２７５と共に第二方向に回転する。このとき、カム部材２８０は、摺動部２５０とカム面２８５との摩擦力等によって、第二方向に向けて回転しない。故に、装飾体モータ２０２の正転駆動力は、カム部材２８０に伝達されない。従って、装飾体モータ２０２が正方向に駆動しても、第二可動体２４６と揺動装飾体５２は、それぞれ静止した状態を維持する。
【００５６】
図３、図５に示すように、装飾体モータ２０２の逆転駆動力が駆動ギヤ２７５に伝達する場合、駆動ギヤ２７５は第一方向（図５の矢印Ａ１方向）に回転する。この場合、二つの突出部２７５Ｄが、夫々、二つの小ギヤ２７７に係合する。これにより、小ギヤ２７７のカム部材２８０に対する転動は、規制される。突出部２７５Ｄが、小ギヤ２７７を介して、カム部材２８０を第一方向に付勢する。装飾体モータ２０２の逆転駆動力がカム部材２８０に伝達し、カム部材２８０は第一方向に回転する。摺動部２５０は、回転するカム面２８５に対して摺動する。
【００５７】
図７、図１２、図１３に示すように、摺動部２５０が第一カム面２８５Ａに対して摺動する間、第二可動体２４６は特定揺動位置（図１３（ａ）参照）に位置し、揺動装飾体５２は中間揺動位置（図１２（ａ）参照）に位置する。摺動部２５０が、第一カム面２８５Ａに次いで第二カム面２８５Ｂに対して摺動することで、第二可動体２４６は、特定揺動位置から上方へ揺動する（図示略）。摺動部２５０が、第一カム面２８５Ａと第二カム面２８５Ｂに対して順に摺動する間、被検出板２５１は、第二検出手段２５３の検出領域に進入することなく揺動する。摺動部２５０が、第二カム面２８５Ｂと第三カム面２８５Ｃとの接続部に対して揺動するとき、第二可動体２４６は一端揺動位置に到達し（図１３（ｂ）参照）、揺動装飾体５２は上揺動位置に到達する（図１２（ｂ）参照）。
【００５８】
摺動部２５０が第三カム面２８５Ｃに対して摺動する間、第二可動体２４６は、一端揺動位置から他端揺動位置に向けて揺動し、揺動装飾体５２は、上揺動位置から下揺動位置に向けて揺動する。揺動装飾体５２が中間揺動位置を通過した直後、被検出板２７３Ｃは第二検出手段２５３の検出領域に進入する（図１３（ｃ）参照）。
【００５９】
摺動部２５０が、第三カム面２８５Ｃと第四カム面２８５Ｄとの接続部に対して摺動するとき、第二可動体２４６は他端揺動位置に到達し（図１３（ｃ）参照）、装飾体５５は下揺動位置に到達する（図１２（ｃ）参照）。その後、摺動部２５０が、第四カム面２８５Ｄに次いで第五カム面２８５Ｅに対して摺動すると、第二可動体２４６と揺動装飾体５２は何れも上方に向けて揺動する。摺動部２５０が再び第一カム面２８５Ａに対して摺動することで、第二可動体２４６は特定揺動位置に到達し（図１３（ａ）参照）、揺動装飾体５２は中間揺動位置に到達する（図１２（ａ）参照）。
【００６０】
＜３．パチンコ機１の電気的構成＞
図３を参照し、パチンコ機１の制御部２０の電気的構成について説明する。制御部２０は、遊技盤２の背面側に設けられる。制御部２０は、主基板４１、サブ制御基板５８、ランプドライバ基板４６、演出制御基板４３、払出制御基板４５、中継基板４７、及び電源基板４２を主に備える。
【００６１】
主基板４１は、パチンコ機１の主制御を司る。主基板４１の主基板ＣＰＵユニット５０には、各種の演算処理を行うＣＰＵ６６と、データを一時的に記憶するＲＡＭ６７と、制御プログラム等を記憶したＲＯＭ６８とが設けられている。主基板ＣＰＵユニット５０には、割込信号発生回路５７が接続されている。主基板４１は、割込信号発生回路５７から割込信号が入力される毎にプログラムを実行する。主基板４１は、Ｉ／Ｏインタフェイス５４を介してサブ制御基板５８、払出制御基板４５、中継基板４７、出力ポート５６、第一始動口スイッチ７３、及び第二始動口スイッチ７４に接続している。出力ポート５６は、図示しない遊技場管理用コンピュータにパチンコ機１の情報を出力する。第一始動口スイッチ７３は、第一始動口１５に入賞した遊技球を検出する。第二始動口スイッチ７４は、第二始動口１６に入賞した遊技球を検出する。
【００６２】
サブ制御基板５８は、ＣＰＵ５８１、ＲＡＭ５８２及びＲＯＭ５８３を備え、ランプドライバ基板４６、演出制御基板４３、操作ボタン９及びスピーカ４８に接続している。サブ制御基板５８は、主基板４１から送信されるコマンドに従って、演出等の総合的な制御を行う。ランプドライバ基板４６は、上下動モータ６２、装飾体モータ２０２、第一検出手段３１５、及び第二検出手段２５３に接続されている。
【００６３】
ランプドライバ基板４６は、サブ制御基板５８から受信するコマンドに従って、上下動モータ６２、及び装飾体モータ２０２を駆動制御する。詳細には、ＣＰＵ５８１は、ランプドライバ基板４６を介して、上下動モータ６２と装飾体モータ２０２のそれぞれに所定のパルス数の信号を入力することで、上下動モータ６２と装飾体モータ２０２をそれぞれ駆動制御する。
【００６４】
第一検出手段３１５は、第一可動体２７３の被検出板２７３Ｃを検出した場合に、ランプドライバ基板４６を介してＣＰＵ５８１にＯＮ信号を出力し、被検出板２７３Ｃを検出しない場合に、ＣＰＵ５８１にＯＦＦ信号を出力する。第二検出手段２５３は、第二可動体２４６の被検出板２５１（図４参照）を検出した場合に、ランプドライバ基板４６を介してＣＰＵ５８１にＯＦＦ信号を出力し、被検出板２５１を検出しない場合に、ＣＰＵ５８１にＯＮ信号を出力する。
【００６５】
演出制御基板４３は、ＣＰＵ４３１、ＣＧＲＯＭ４３２等を備え、サブ制御基板５８から受信するコマンドに従って画像表示装置２８を制御する。ＣＧＲＯＭ４３２は、表示面２７（図１参照）における画像表示に必要な画像データ等を記憶する。払出制御基板４５は、ＣＰＵ４５ａ等を備える。払出制御基板４５は、主基板４１から送信されるコマンドに応じて賞球払出装置４９の動作を制御し、所定数の遊技球を払い出させる。
【００６６】
中継基板４７は、普通電動役物開閉ソレノイド６９、大入賞口ソレノイド７１、普通図柄作動スイッチ７５、大入賞口スイッチ７６、特定領域スイッチ７８、非特定領域スイッチ７９及び図柄表示部２４に接続している。普通電動役物開閉ソレノイド６９は、普通当たり遊技中に第二始動口１６の開閉部材を開閉する。大入賞口ソレノイド７１は、大当たり遊技中に大入賞口１７の開閉部材を開閉する。特定領域スイッチ７８は、大入賞口１７の特定領域を通過する遊技球を検出する。非特定領域スイッチ７９は、大入賞口１７の非特定領域を通過する遊技球を検出する。
【００６７】
電源基板４２は、主基板４１及び遊技球発射装置３７に接続されており、各基板及び遊技球発射装置３７に直流の安定化した電力を供給する。遊技球発射装置３７は、一定間隔（本実施形態では０．６秒）毎に１個ずつ遊技球を遊技領域４へ発射する。
【００６８】
＜４．演出処理＞
図２、図９〜図１３を参照し、演出処理を説明する。演出処理は、演出装置３０が装飾体５５を動作させる処理である。演出処理は、例えばリーチ演出に伴って実行される。尚、図１１では、装飾体モータ２０２に入力されるパルス信号に応じた、回転装飾体５１の回転位置と揺動装飾体５２の揺動位置を示す。図１１（ａ）では、装飾体モータ２０２が正方向に駆動する場合を示し、図１１（ｂ）では、装飾体５５が逆方向に駆動する場合を示す。また、図１２（ａ）と図１３（ａ）は互いに対応し、図１２（ｂ）と図１３（ｂ）は互いに対応し、図１２（ｃ）と図１３（ｃ）は互いに対応する。
【００６９】
本実施形態では、ＣＰＵ５８１が、演出処理を開始するコマンドをＣＰＵ６６から受信した場合に、演出処理は実行される。ＣＰＵ５８１は、演出処理を実行するためのプログラムをＲＯＭ５８３から読み出して、演出処理を実行する。演出処理が開始される前、パチンコ機１は初期状態である。パチンコ機１が初期状態である場合、装飾体５５は下端位置にあり（図１参照）、回転装飾体５１は初期回転位置にあり（図２参照）、第一可動体２７３は特定回転位置にある（図３参照）。また、パチンコ機１が初期状態にある場合、揺動装飾体５２は中間揺動位置にあり（図２参照）、第二可動体２４６は特定揺動位置にある（図１３（ａ）参照）。
【００７０】
図９に示すように、ＣＰＵ５８１は、上下動モータ６２を駆動制御して、装飾体５５を下端位置から上端位置まで移動させる（Ｓ１１）。例えば、ＣＰＵ５８１は、上下動モータ６２に対して、所定パルス分のパルス信号を上下動モータ６２に入力する（Ｓ１１）。図２に示すように、上下動モータ６２は、アーム部材７０を正面視で反時計回りに回転させる（図２の矢印Ｐ）。これにより、ピニオン８１は、正面視で反時計回りに回転し（図２の矢印Ｑ）、装飾体５５は、下端位置から上端位置に向けて上方に移動する。装飾体５５が上端位置に到達したとき（図１参照）、上下動モータ６２は駆動を停止する（Ｓ１１）。
【００７１】
図９に示すように、ＣＰＵ５８１は、装飾体モータ２０２を正方向に駆動する（Ｓ１３）。装飾体モータ２０２を正方向に駆動させるパルス信号のパルスレートは、一例として最大３３３ＰＰＳである。特定回転位置にあった第一可動体２７３（図３参照）は、正面視で時計回りに回転し、動力伝達部２７０（図３参照）は、装飾体モータ２０２の正転駆動力が駆動ギヤ２７５に伝達するのを規制する（Ｓ１３）。ＣＰＵ５８１は、第一所定時間が経過したか否かを判断する（Ｓ１５）。第一所定時間は、例えば、１０秒である。第一所定時間が経過するまでの間（Ｓ１５：ＮＯ）、ＣＰＵ５８１は、待機状態となる。
【００７２】
図１０（ａ）〜（ｃ）に示すように、第一所定時間が経過するまでの間（Ｓ１５：ＮＯ）、ＣＰＵ５８１は、装飾体モータ２０２を正方向に駆動させるパルス信号を、装飾体モータ２０２に対して入力し続ける。回転装飾体５１は、正面視で時計回りに回転し続ける。一方、揺動装飾体５２は、中間揺動位置にて静止した状態を維持する。
【００７３】
図１０及び図１１（ａ）を参照し、回転装飾体５１が、初期回転位置から次の初期回転位置に到達するまでの、装飾体モータ２０２に入力されるパルス信号と回転装飾体５１の回転位置との理論上の関係を説明する。図１１で示す「−９０°」、「０°」、「９０°」等の角度は、回転装飾体５１の回転位置を示す。このうち、「−１８０°」、「０°」、「１８０°」等の、１８０°の整数倍となる角度は、回転装飾体５１の初期回転位置に相当する。本実施形態では、装飾体モータ２０２の正方向への駆動開始時を基準にして、装飾体モータ２０２に１１５パルス分のパルス信号が入力された場合、回転装飾体５１は初期回転位置とは異なる位置を経由して、初期回転位置に戻ってきている。このとき、第一可動体２７３は検出回転位置（より詳細には特定回転位置）に配置されている。
【００７４】
以下、正方向への駆動を開始する装飾体モータ２０２に１１５パルスのパルス信号が入力される場合の詳細を説明する。はじめに、１０パルス分のパルス信号が装飾体モータ２０２に入力されると、一対の被検出板２７３Ｃの何れかは、第一可動体２７３の回転に伴って第一検出手段３１５の検出領域から退出する。第一検出手段３１５は、ＯＮ信号に代えてＯＦＦ信号を出力する。
【００７５】
その後、装飾体モータ２０２に９５パルス分のパルス信号が更に入力され、回転装飾体５１は、第一可動体２７３と共に回転し続ける。一対の被検出板２７３Ｃは、いずれも、第一検出手段３１５の検出領域に進入することなく回転する。装飾体モータ２０２に入力される累計パルス数が、１０５パルス（＝１０パルス＋９５パルス）に到達したとき、一対の被検出板２７３Ｃの何れかが、第一検出手段３１５の検出領域に進入し、第一検出手段３１５は、ＯＦＦ信号に代えてＯＮ信号を出力する。第一可動体２７３は、検出回転位置に到達する。
【００７６】
装飾体モータ２０２に１０パルスのパルス信号が更に入力されることによって、第一可動体２７３は特定回転位置に到達し、回転装飾体５１は初期回転位置に到達する。このとき、装飾体モータ２０２に入力された累計パルス数は、１１５パルスとなる。上記のように、第一所定時間が経過するまでの間（Ｓ１５：ＮＯ）、装飾体モータ２０２にパルス信号が入力され続け、回転装飾体５１は、正面視で時計回りに回転し続ける（図１０（ａ）〜（ｃ））。
【００７７】
尚、装飾体モータ２０２の回転軸（図示略）に対して突発的な負荷が加わると、回転軸の回転が、入力されるパルス信号に正確に追従できない場合がある。この場合、１１５パルス数よりも多いパルス信号が、装飾体モータ２０２に入力されないと、回転装飾体５１の回転角度は、１８０°に到達しない。従って、回転装飾体５１の回転量が、装飾体モータ２０２に入力されたパルス信号の累計パルス数に正比例するとは限らないので、ＣＰＵ５８１は、第一所定時間が経過するまでの間（Ｓ１５：ＮＯ）、パルス信号を入力し続ける。
【００７８】
図９に示すように、第一所定時間が経過した場合（Ｓ１５：ＹＥＳ）、ＣＰＵ５８１は、第一検出手段３１５の出力する信号がＯＦＦ信号からＯＮ信号に切り替わったか否か判断する（Ｓ１７）。第一検出手段３１５がＯＦＦ信号に代えてＯＮ信号を出力するまでの間（Ｓ１７：ＮＯ）、ＣＰＵ５８１は待機状態になる。ＣＰＵ５８１が待機状態である間、第一可動体２７３は、回転装飾体５１と共に回転し続ける。一対の被検出板２７３Ｃの何れかが、第一検出手段３１５の検出領域に進入すると、第一検出手段３１５の出力する信号は、ＯＦＦ信号からＯＮ信号に切り替わる（Ｓ１７：ＹＥＳ）。ＣＰＵ５８１は、第一検出手段３１５がＯＮ信号を出力してから、１０パルス分のパルス信号を、装飾体モータ２０２に更に入力し（Ｓ１９）、装飾体モータ２０２の正方向への駆動を停止する（Ｓ２１）。これにより、第一可動体２７３は特定回転位置で停止し、回転装飾体５１は初期回転位置で停止する（Ｓ２１）。
【００７９】
ＣＰＵ５８１は、装飾体モータ２０２を逆方向へ駆動する（Ｓ２３）。第一可動体２７３は、正面視で反時計回りに回転し、動力伝達部２７０は、装飾体モータ２０２の逆転駆動力を駆動ギヤ２７５に伝達する。特定揺動位置にある第二可動体２４６は、上方に向けて揺動する。ＣＰＵ５８１は、第二所定時間が経過したか否かを判断する（Ｓ２５）。第二所定時間は、例えば、１５秒である。第二所定時間が経過するまでの間（Ｓ２５：ＮＯ）、ＣＰＵ５８１は、待機状態となる。ＣＰＵ５８１が待機状態となる間、ＣＰＵ５８１は、装飾体モータ２０２を逆方向に駆動させるパルス信号を、装飾体モータ２０２に対して入力し続ける。
【００８０】
図１２（ａ）〜（ｃ）に示すように、第二所定時間が経過するまでの間（Ｓ２５：ＮＯ）、第一可動体２７３は、回転装飾体５１と共に正面視で反時計回りに回転する。装飾体モータ２０２を逆方向に駆動させるパルス信号のパルスレートは、一例として最大５００ＰＰＳである。従って、回転装飾体５１は、装飾体モータ２０２が正方向に駆動する場合に比べて、高速で回転する。一方、特定揺動位置にあった第二可動体２４６は、揺動装飾体５２と共に、上下方向に往復揺動する。
【００８１】
図４、図１０、及び図１１（ｂ）を参照し、揺動装飾体５２が一往復揺動するまでの、装飾体モータ２０２に入力されるパルス信号と揺動装飾体５２の揺動位置との理論上の関係を説明する。上述したように、揺動装飾体５２は、中間揺動位置、上揺動位置、中間揺動位置、下揺動位置、及び中間揺動位置を順に通過することによって、一往復揺動する。尚、装飾体モータ２０２に入力されるパルス信号と、回転装飾体５１の回転位置との関係は、装飾体モータ２０２が正方向に駆動する場合と同様であるので、以下では説明を簡略化する。
【００８２】
本実施形態では、装飾体モータ２０２の逆方向への駆動開始時を基準にして、装飾体モータ２０２に１１５パルスのパルス信号が入力された場合、第二可動体２４６は検出揺動位置を経由して特定揺動位置に配置されている。このとき、揺動装飾体５２は、中間揺動位に配置されている。以下、逆方向に駆動する装飾体モータ２０２に１１５パルスのパルス信号が入力される場合の詳細を説明する。
【００８３】
はじめに、６７パルス分のパルス信号が装飾体モータ２０２に入力されると、揺動装飾体５２は、中間揺動位置から上揺動位置を経由して中間揺動位置に戻る。揺動装飾体５２は、下揺動位置へと向かう。６７パルス分のパルス信号が装飾体モータ２０２に入力されるまでの間、被検出板２５１は、第二検出手段２５３の検出領域から退出している。第二検出手段２５３は、ＯＮ信号を継続して出力する。６７パルス目となるパルス信号が装飾体モータ２０２に入力されたとき、第二可動体２４６は検出揺動位置に到達し、被検出板２５１は、第二検出手段２５３の検出領域に進入する（図１３（ｂ）参照）。第二検出手段２５３は、ＯＮ信号に代えてＯＦＦ信号を出力する。
【００８４】
装飾体モータ２０２に更に３７パルス分のパルス信号が入力されるまでの間に、揺動装飾体５２は、下揺動位置に到達し（図１２（ｃ）参照）、更に中間揺動位置へと向かう。この場合、第二可動体２４６は検出揺動位置にあり、被検出板２５１の少なくとも一部が、第二検出手段２５３の検出領域に進入している。従って、第二検出手段２５３は継続してＯＦＦ信号を出力する（図１３（ｃ）参照）。装飾体モータ２０２に入力されるパルス数が、累計で１０４パルス（＝６７パルス＋３７パルス）になったとき、摺動部２５０は、第五カム面２８５Ｅの摺動を経て第一カム面２８５Ａに到達する。第二可動体２４６は特定揺動位置に到達し、揺動装飾体５２は中間揺動位置に到達する。第二検出手段２５３はＯＦＦ信号に代えてＯＮ信号を出力する。
【００８５】
装飾体モータ２０２に更に１１パルス分のパルス信号が入力されるまでの間、摺動部２５０は第一カム面２８５Ａに対して摺動する。このとき、第二可動体２４６は静止した状態を維持し、揺動装飾体５２は中間揺動位置で静止した状態を維持する。装飾体モータ２０２に累計で１１５パルス（＝１０４パルス＋１１パルス）のパルス信号が入力されたとき、回転装飾体５１は、初期回転位置に到達する。上記のように、装飾体モータ２０２にパルス信号が入力され続けることによって、揺動装飾体５２は一往復揺動をし続け、回転装飾体５１は正面視で反時計回りに回転し続ける。
【００８６】
尚、逆方向に回転駆動する装飾体モータ２０２に突発的な負荷が加わる場合がある。この場合、揺動装飾体５２の揺動量が、装飾体モータ２０２に入力されたパルス信号の累計パルス数に正比例するとは限らないので、ＣＰＵ５８１は、第二所定時間が経過するまでの間（Ｓ２５：ＮＯ）、装飾体モータ２０２にパルス信号を入力し続ける。
【００８７】
図９に示すように、第二所定時間が経過した場合（Ｓ２５：ＹＥＳ）、ＣＰＵ５８１は、第二検出手段２５３が出力する信号が、ＯＦＦ信号からＯＮ信号に切り替わったか否か判断する（Ｓ２７）。第二検出手段２５３がＯＦＦ信号に代えてＯＮ信号を出力するまでの間（Ｓ２７：ＮＯ）、ＣＰＵ５８１は、待機状態になる。ＣＰＵ５８１が待機状態である間、回転装飾体５１と揺動装飾体５２は動作し続ける。第二可動体２４６が、特定揺動位置に到達すると、第二検出手段２５３は、ＯＦＦ信号に代えてＯＮ信号を出力する（Ｓ２７：ＹＥＳ）。ＣＰＵ５８１は、第二検出手段２５３のＯＮ信号を検出した後、１１パルス分のパルス信号を装飾体モータ２０２に更に入力し（Ｓ２９）、装飾体モータ２０２の逆転方向への駆動を停止する（Ｓ３１）。揺動装飾体５２が、装飾体モータ２０２に入力されるパルス信号に応じて正確に揺動した場合、装飾体モータ２０２には、累計で１１５×Ｎパルス（Ｎは自然数）のパルス信号が入力されている。このとき、回転装飾体５１は、入力されるパルス信号に応じて正確に回転すれば初期回転位置で停止する（Ｓ３１）。一方、揺動装飾体５２がパルス信号に応じた正確な揺動をしなかった場合、回転装飾体５１は、初期回転位置とは異なる回転位置で停止する（Ｓ３１）。同様に、回転装飾体５１は、正確に回転しなかった場合には、初期回転位置とは異なる回転位置で停止する（Ｓ３１）。
【００８８】
ＣＰＵ５８１は、装飾体モータ２０２を正方向に駆動する（Ｓ３３）。回転装飾体５１は、第一可動体２７３と共に回転し、一対の被検出板２７３Ｃの何れかは、第一検出手段３１５の検出領域から退出する。第一検出手段３１５は、ＯＮ信号に代えてＯＦＦ信号を出力する。尚、揺動装飾体５２は中間揺動位置で静止する。
【００８９】
ＣＰＵ５８１は、第一検出手段３１５の出力する信号がＯＦＦ信号からＯＮ信号に切り替わったか否か判断する（Ｓ３５）。第一検出手段３１５がＯＦＦ信号に代えてＯＮ信号を出力するまで（Ｓ３５：ＮＯ）、ＣＰＵ５８１は待機状態になり、回転装飾体５１は、第一可動体２７３と共に回転し続ける。第一可動体２７３が検出回転位置に到達し、一対の被検出板２７３Ｃの何れかが、第一検出手段３１５の検出領域に進入する（Ｓ３５：ＹＥＳ）。ＣＰＵ５８１は、１０パルス分のパルス信号を装飾体モータ２０２に更に入力して（Ｓ３７）、装飾体モータ２０２の正方向への駆動を停止する（Ｓ３９）。従って、回転装飾体５１が、初期回転位置とは異なる位置で停止していた場合であっても（Ｓ３１）、ＣＰＵ５８１がＳ３３〜Ｓ３９を実行することによって、回転装飾体５１の回転位置は、初期回転位置に調整される。
【００９０】
ＣＰＵ５８１は、上下動モータ６２を駆動制御して、装飾体５５を上端位置から下端位置まで移動させる（Ｓ４１）。例えば、ＣＰＵ５８１が上下動モータ６２に対して所定パルス分のパルス信号を入力することによって、アーム部材７０（図２参照）を正面視で時計回りに回転させる。装飾体５５は上端位置から下端位置まで移動する（Ｓ４１）。演出装置３０は初期状態に戻り、ＣＰＵ５８１は演出処理を終了する。
【００９１】
＜５．発明の作用・効果の一例＞
以上、説明したように、ＣＰＵ５８１は、第一検出手段３１５が被検出板２７３Ｃを検出したか否かの検出結果である第一検出結果に基づいて（Ｓ１７、Ｓ３５）、第一可動体２７３を特定回転位置で停止させる（Ｓ２１、Ｓ３９）。また、ＣＰＵ５８１は、第二検出手段２５３が被検出板２５１を検出したか否かの検出結果である第二検出結果に基づいて（Ｓ２７）、第一可動体２７３を特定回転位置で停止させ、且つ、第二可動体２４６を特定揺動位置で停止させる（Ｓ３１）。装飾体モータ２０２が、正方向と逆方向のいずれの方向に駆動する場合であっても、ＣＰＵ５８１は、第一検出結果と第二検出結果との何れか一方しか取得しない。ＣＰＵ５８１が、第一検出結果と第二検出結果とをいずれも同じタイミングで取得する場合に比べ、演出処理は簡易になる。よって、パチンコ機１は、第一可動体２７３と第二可動体２４６を動作させる制御を、簡易化できる。
【００９２】
ＣＰＵ５８１は、第二可動体２４６を特定揺動位置で停止させた後（Ｓ３１）、停止している装飾体モータ２０２を正方向に駆動させ（Ｓ３３）、第一可動体２７３を特定回転位置で停止させる（Ｓ３９）。よって、第一可動体２７３と第二可動体２４６との位置関係が、装飾体モータ２０２の逆方向への駆動に伴って互いにずれた場合であっても、パチンコ機１は、第一可動体２７３と第二可動体２４６との位置関係（即ち回転装飾体５１と揺動装飾体５２との位置関係）のずれを解消できる。
【００９３】
例えば、第五カム面２８５Ｅに対して摺動する摺動部２５０は、後方向に向けて付勢される（図７（ｃ）参照）。結果、摺動部２５０は、第一カム面２８５Ａに摺動する直前に、第五カム面２８５Ｅから後方に瞬間的に離隔する虞がある。この場合、第一可動体２７３の回転位置に対する、摺動部２５０とカム面２８５との接触位置がずれる結果、第一可動体２７３と第二可動体２４６との位置関係は、理想的な位置関係からずれる。この場合であっても、ＣＰＵ５８１が、装飾体モータ２０２を逆方向へ駆動してから正方向に駆動することによって（Ｓ３３、Ｓ３９）、第二可動体２４６が特定揺動位置にある状態で、第一可動体２７３は特定回転位置で停止する。よって、パチンコ機１は、上記した第一可動体２７３と第二可動体２４６の位置関係のずれを、解消できる。
【００９４】
さらに、装飾体モータ２０２の正転駆動力によって回転する回転装飾体５１が、正確に回転しない場合がある。また、装飾体モータ２０２の逆転駆動力によって、揺動装飾体５２と回転装飾体５１が、夫々正確に動作しない場合がある。これらの場合、第一可動体２７３と第二可動体２４６との位置関係（即ち回転装飾体５１と揺動装飾体５２との位置関係）が、ずれる場合がある。この場合であっても、ＣＰＵ５８１が、装飾体モータ２０２を逆方向へ駆動してから（Ｓ２３、Ｓ３１）、正方向に駆動する（Ｓ３３、Ｓ３９）。これにより、揺動装飾体５２を中間揺動位置にて静止させた状態で、回転装飾体５１を初期回転位置に配置できるので、ＣＰＵ５８１は、第一可動体２７３と第二可動体２４６の位置関係のずれを、解消できる。
【００９５】
前記第一可動体２７３が検出回転位置に配置されている状態を基準にして、装飾体モータ２０２が、１１５パルス分、正方向又は逆方向に駆動した場合、第一可動体２７３は、検出回転位置とは異なる位置を経由してから、検出回転位置に戻ってきている。また、第二可動体２４６が検出揺動位置に配置されている状態を基準にして、装飾体モータ２０２が１１５パルス分、逆方向に駆動した場合、第二可動体２４６は、検出揺動位置とは異なる位置を経由してから、検出揺動位置に戻ってきている。装飾体モータ２０２が正方向と逆方向のいずれの方向に駆動する場合であっても、装飾体モータ２０２に同じパルス分の信号が入力された場合、ＣＰＵ５８１が取得する検出結果は、切り替わっている。よって、パチンコ機１は、ＣＰＵ５８１が実行する演出処理を更に簡易化できる。
【００９６】
装飾体モータ２０２が正方向への駆動開始時を基準にして、１１５パルスのパルス信号が装飾体モータ２０２に入力された場合、第一可動体２７３は、特定回転位置に配置されている。装飾体モータ２０２が逆方向への駆動開始時を基準にして、１１５パルスのパルス信号が装飾体モータ２０２に入力された場合、第二可動体２４６は、特定定揺動位置に配置されている。つまり、装飾体モータ２０２が正方向と逆方向の何れの方向に回転する場合であっても、装飾体モータ２０２に累計で１１５×Ｎパルスのパルス信号が入力されたときが、装飾体モータ２０２が駆動を停止するタイミングとなる。よって、パチンコ機１は、ＣＰＵ５８１が実行する演出処理を更に簡易化できる。
【００９７】
また、ＣＰＵ５８１は、第一所定時間が経過するまでの間（Ｓ１５：ＮＯ）、装飾体モータ２０２にパルス信号を入力し続ける。そして、ＣＰＵ５８１は、一対の被検出板２７３Ｃの何れかが、第一検出手段３１５の検出領域への進入を確認した後（Ｓ１７：ＹＥＳ）、装飾体モータ２０２に１０パルス分のパルス信号を入力する（Ｓ１９）。従って、第一所定時間が経過するまでの間、回転装飾体５１が正確に回転できない場合であっても、ＣＰＵ５８１は、回転装飾体５１の回転位置を第一検出手段３１５によって把握でき、回転装飾体５１を初期回転位置にて確実に停止させることができる。同様に、ＣＰＵ５８１は、第二可動体２４６が特定揺動位置に到達してから（Ｓ２７：ＹＥＳ）、装飾体モータ２０２に１１パルス分のパルス信号を入力する（Ｓ２９）。従って、第二所定時間が経過するまでの間に、揺動装飾体５２が正確に揺動できない場合であっても、ＣＰＵ５８１は、揺動装飾体５２の揺動位置を第二検出手段２５３によって把握でき、揺動装飾体５２を中間揺動位置にて確実に停止させることができる。
【００９８】
パチンコ機１は、第一可動体２７３と一体的に回転する回転装飾体５１と、第二可動体２４６と一体的に揺動する揺動装飾体５２とを備える。パチンコ機１は、複数の装飾体を動作させることができるので、装飾体５５を動作させる演出効果を向上できる。また、回転装飾体５１は回転動作をし、揺動装飾体５２は揺動動作をする。つまり、複数の装飾体は、互いに異なる動作をするので、装飾体５５の動作が多様化する。よって、パチンコ機１は、装飾体５５を動作せる演出効果を更に向上できる。
【００９９】
また、例えば第二可動体２４６が、一端揺動位置と他端揺動位置のそれぞれに配置される場合に、被検出板２５１が第二検出手段２５３の検出領域から退出する実施例が考えられる。この場合、第二可動体２４６が一往復揺動する間に、第二検出結果は三回切り替わる。一方、本実施形態では、第二可動体２４６が他端揺動位置から特定揺動位置に到達する場合にのみ、第二検出手段２５３は、ＯＦＦ信号に代えてＯＮ信号を出力する。つまり、第二可動体２４６が一往復揺動する間に、第二検出結果は二回しか切り替わらない。従って、ＣＰＵ５８１に送信される信号の切り替わる回数は、低減する。よって、パチンコ機１は演出処理を簡易化できる。また、ＣＰＵ５８１に送信される信号の切り替わる回数が、低減するので、パチンコ機１は、第二検出手段２５３が第二可動体２４６の配置位置を誤検出するのを、防止できる。
【０１００】
第二可動体２４６の係合部２７３Ｂが、回転装飾体５１の係合孔（図示略）に係合する構成が採用されることによって、回転装飾体５１は、装飾体モータ２０２の駆動する方向に応じて、時計回り又は反時計回りに回転する。また、摺動部２５０が、カム面２８５に対して摺動する構成が採用されることによって、第二可動体２４６は、揺動装飾体５２と共に往復揺動する。よって、パチンコ機１は、回転装飾体５１と揺動装飾体５２をそれぞれ動作せる構成を、簡易化できる。
【０１０１】
揺動装飾体５２の自重によって、摺動部２５０はカム面２８５に押圧されているので、摺動部２５０が第二カム面２８５Ｂと第三カム面２８５Ｃに対して順に摺動することに応じて、第二可動体２４６と揺動装飾体５２は、上下方向に揺動する。よって、第二可動体２４６と揺動装飾体５２は、それぞれ、滑らかに揺動運動できる。
【０１０２】
装飾体モータ２０２の逆転駆動力によって回転する回転装飾体５１は、装飾体モータ２０２が正方向に駆動する場合に比べて、高速で回転する。よって、揺動装飾体５２が静止しつつ回転装飾体５１が正面視で時計回りに回転する場合と、揺動装飾体５２が往復揺動しつつ回転装飾体５１が正面視で反時計回りに回転する場合とで、回転装飾体５１の動作の違いが大きくなる。特に、揺動装飾体５２と共に動作する回転装飾体５１が、回転装飾体５１が単独で回転する場合に比べて、高速で回転するので、揺動装飾体５２と回転装飾体５１が何れも動作する演出のインパクトは、強くなる。よって、パチンコ機１は、装飾体５５を動作させる演出効果を向上させることができる。
【０１０３】
上記実施形態において、パチンコ機１は、本発明の「遊技機」の一例である。装飾体モータ２０２は、本発明の「モータ」の一例である。回転装飾体５１は、本発明の「第一装飾体」の一例である。揺動装飾体５２は、本発明の「第二装飾体」の一例である。駆動ギヤ２７５は、本発明の「回転部材」の一例である。摺動部２５０は、本発明の「固定部材」の一例である。第二カム面２８５Ｂは、本発明の「第一所定カム面」の一例である。第三カム面２８５Ｃは、本発明の「第二所定カム面」の一例である。検出回転位置は、本発明の「第一所定位置」、「第二可動体」の「特定の位置」の一例である。検出揺動位置は、本発明の「第二所定位置」、「第一可動体」の「特定の位置」の一例である。揺動装飾体５２の揺動範囲のうちで、特定揺動位置よりも他端揺動位置側のとなる揺動位置が、本発明の「第一位置」の一例である。他端揺動位置は、本発明の「第二位置」の一例である。軸線Ｙは、本発明の「第一軸線」の一例である。軸線Ｋは、本発明の「第二軸線」の一例である。回転装飾体５１の回転軸線を中心とした正面視時計回りは、本発明の「一方向」の一例である。回転装飾体５１の回転軸線を中心とした正面視反時計回りは、本発明の「他方向」の一例である。左右方向は、本発明の「第一所定方向」の一例である。Ｓ３１を実行するＣＰＵ５８１が、本発明の「逆転停止制御手段」として機能する。Ｓ２１、３９を実行するＣＰＵ５８１が、本発明の「正転停止制御手段」として機能する。
【０１０４】
尚、本発明は、上記実施形態に限定されず、種々の変形が可能であることは言うまでもない。回転装飾体５１は、１８０°回転する度に外観形状が元に戻る代わりに、例えば、１２０°回転する度に外観形状が元に戻ってもよい。この場合、第一可動体２７３は、一対の被検出板２７３Ｃを備える代わりに、三つの被検出板２７３Ｃを備えてもよい。
【０１０５】
カム部材２８０の軸線Ｋは、略前後方向に延びる代わりに、例えば、軸線Ｙと平行な左右方向であってもよい。この場合、カム部材２８０は左右方向に沿い、且つ、カム部材２８０の外周面にカム面２８５が形成される。
【０１０６】
第一可動体２７３は、回転動作をする代わりに、往復揺動してもよいし、直線的に往復移動してもよい。例えば、第一可動体２７３が往復揺動又は直線的に往復移動する場合、一つの被検出板２７３Ｃが、上記した実施系形態と同様、第一可動体２７３に形成されてもよい。この場合であっても、第一検出手段３１５は、被検出板２７３Ｃを検出することによって、所定の動作位置にある第一可動体２７３を検出できる。また、第一可動体２７３に連動する回転装飾体５１の動作は、第一可動体２７３の動作と同じでなくてもよい。例えば、回転装飾体５１は、回転動作する代わりに、直線的に往復移動してもよい。この場合、第一可動体２７３の回転運動を、回転装飾体５１の直線運動に変換する変換機構が設けられる。
【０１０７】
第二可動体２４６は、揺動動作をする代わりに、回転動作をしてもよいし、直線的に往復移動してもよい。例えば、第二可動体２４６が回転動作する場合に、複数の被検出板２５１が、第二可動体２４６の回転方向に沿って等間隔に配置されてもよい。この場合であっても、第二検出手段２５３は、被検出板２５１を検出することによって、所定の動作位置にある第二可動体２４６を検出できる。
【０１０８】
一対の被検出板２７３Ｃは、第一可動体２７３に一体的に形成される代わりに、回転装飾体５１に一体的に形成されてもよい。この場合、第一検出手段３１５は、回転装飾体５１に形成された一対の被検出板２７３Ｃを、検出可能な位置に設けられる。本変形例において、回転装飾体５１が、本発明の「第一可動体」の一例となる。
【０１０９】
被検出板２５１は、第二可動体２４６に一体的に形成される代わりに、揺動装飾体５２に一体的に形成されてもよい。この場合、第二検出手段２５３は、揺動装飾体５２に形成された被検出板２５１を検出可能な位置に設けられる。本変形例において、揺動装飾体５２が、本発明の「第二可動体」の一例となる。
【０１１０】
第一可動体２７３が検出回転位置に到達した場合において（Ｓ１７：ＹＥＳ）、ＣＰＵ５８１は、装飾体モータ２０２に対して１０パルス分のパルス信号を入力することに限定されない（Ｓ１９）。例えば、ＣＰＵ５８１は、被検出板２７３Ｃが第一検出手段３１５の検出領域に退出する位置まで、装飾体モータ２０２に対してパルス信号を入力してもよい（Ｓ１９）。同様に、第二可動体２４６が特定揺動位置に到達した場合において（Ｓ２７：ＹＥＳ）、ＣＰＵ５８１は、装飾体モータ２０２に対して１１パルス分のパルス信号を入力することに限定されない（Ｓ２９）。例えば、ＣＰＵ５８１は、第二可動体２４６が特定揺動位置から一端揺動位置に揺動するまで、装飾体モータ２０２に対してパルス信号を入力してもよい（Ｓ２９）。
【０１１１】
動力伝達部２７０は、駆動ギヤ２７５、小ギヤ２７７、第一延設部２７５Ｂ、第二延設部２７５Ｃ、突出部２７５Ｄ、及び歯部２８１を備えることに限定されない。動力伝達部２７０は、例えばワンウェイクラッチ構造が採用された機構であればどのような機構であってもよい。その他、動力伝達部２７０は、小ギヤ２７７、第一延設部２７５Ｂ、第二延設部２７５Ｃ、突出部２７５Ｄ、及び歯部２８１に代えて、電磁クラッチを備えてもよい。電磁クラッチの外周部は、駆動ギヤ２７５に連結し、電磁クラッチの内周部は、カム部材２８０に連結する。ＣＰＵ５８１は、装飾体モータ２０２を逆方向に駆動する場合に（Ｓ２３）、電磁クラッチを励磁状態から非励磁状態にする。これにより、電磁クラッチの外周部と内周部との連結は解除される。電磁クラッチは、装飾体モータ２０２の逆転駆動力がカム部材２８０に伝達することを、規制する。
【０１１２】
第一検出手段３１５と第二検出手段２５３は、それぞれ、発光体と受光体を備えた透過型センサである代わりに、例えば、接触型のセンサであってもよい。例えば、接触型のセンサである第一検出手段３１５は、検出回転位置にある第一可動体２７３の被検出板２７３Ｃに接触することで、ＯＮ信号に代えてＯＦＦ信号を出力してもよい。また、第一検出手段３１５と第二検出手段２５３は、それぞれ、超音波型のセンサであってもよい。
【０１１３】
演出処理を実行するＣＰＵ５８１は、装飾体５５を上端位置から下端位置まで移動させてから（Ｓ４１）、逆転駆動後の装飾体モータ２０２を正方向に駆動してもよい（Ｓ３３〜Ｓ３９）。例えば、リーチ演出の実行に伴う大当たり判定の結果として、はずれを示すデモ図柄の組み合わせが表示面２７に確定表示された後に、ＣＰＵ５８１がＳ３３〜Ｓ３９を実行する場合が考えられる。この場合、Ｓ３３〜Ｓ３９の実行に伴う回転装飾体５１の回転を、遊技者に積極的に視認させる必要はない。下端位置にある装飾体５５の下部は、装飾枠１１によって視認不能となるので、回転装飾体５１の回転は、遊技者に見えにくくすることができる。
【０１１４】
装飾体モータ２０２が逆方向に駆動する場合に、最大５００ＰＰＳのパルスレートに代えて、例えば最大３３３ＰＰＳ以下のパルスレートで、装飾体モータ２０２にパルス信号が入力されてもよい。逆方向へ駆動させるパルス信号が、最大３３３ＰＰＳ以下となることによって、回転する第五カム面２８５Ｅが摺動部２５０を後方へ付勢する力は、弱くなる。摺動部２５０がカム面２８５に対して後方に離隔しにくくなるので、上述した第一可動体２７３と第二可動体２４６との位置関係のずれは、発生しにくくなる。また、一般に、駆動する装飾体モータ２０２の回転軸の最大回転速さが遅くなると、装飾体モータ２０２の出力トルクは向上する傾向にある。従って、逆方向に駆動する装飾体モータ２０２の出力軸に突発的な負荷が加わっても、揺動装飾体５２と回転装飾体５１は、それぞれ、正確に動作し易い。結果、ＣＰＵ５８１は、Ｓ３３〜Ｓ３９を実行しなくてもよく、演出処理は簡易になる。また、装飾体モータ２０２が、正方向と逆方向のいずれの方向に駆動する場合であっても、同じパルスレートでパルス信号が装飾体モータ２０２に入力されると、演出処理は更に簡易になる。
【０１１５】
装飾体５５は、上下動モータ６２によって上下動する代わりに、ソレノイド等の駆動源によって、左右方向又は前後方向に往復移動してもよい。また、装飾体５５が下端位置から上端位置に移動している間に、装飾体モータ２０２は正方向又は逆転方向に駆動してもよい。
【０１１６】
上記実施形態では、装飾体モータ２０２がパルスモータであることを前提に、装飾体モータ２０２の駆動量を、入力されるパルス信号の数を基準に説明した。しかしながら、装飾体モータ２０２は、パルスモータでなくてもよく、例えば、サーボモータ、ＤＣモータ、又はＡＣモータ等であってもよい。装飾体モータ２０２が、正方向と逆方向いずれの方向にも同じ速さで回転駆動するＤＣモータである場合、装飾体モータ２０２に通電される時間を基準に、装飾体モータ２０２の駆動量を捉えてもよい。
【０１１７】
また、請求項、明細書および図面に記載される全ての要素（例えば、図柄表示装置、大入賞装置、始動入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「演出装置」は、ハード単体でも、ソフトを含んだものであっても構わない。 
【０１１８】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【０１１９】
１        パチンコ機
５１      回転装飾体
５２      揺動装飾体
２４６    第二可動体
２５０    摺動部
２５３    第二検出手段
２７０    動力伝達部
２７３    第一可動体
２７５    駆動ギヤ
２８５    カム面
２８５Ａ  第一カム面
２８５Ｅ  第五カム面
３１５    第一検出手段
５８１    ＣＰＵ
Ｍ，Ｎ    軸線
【図１】
0006692541.tif 000002
【図２】
0006692541.tif 000003
【図３】
0006692541.tif 000004
【図４】
0006692541.tif 000005
【図５】
0006692541.tif 000006
【図６】
0006692541.tif 000007
【図７】
0006692541.tif 000008
【図８】
0006692541.tif 000009
【図９】
0006692541.tif 000010
【図１０】
0006692541.tif 000011
【図１１】
0006692541.tif 000012
【図１２】
0006692541.tif 000013
【図１３】
0006692541.tif 000014